(57)【要約】【課題】自動原稿送り（ＡＤＦ）読み取り動作における原稿の間欠送りが可能な画像読取装置およびファクシミリ装置。【解決手段】本発明によるファクシミリ装置は、第一のＣＰＵを含むファクシミリ本体部２と第二のＣＰＵを含むハンドスキャナ部１が独立した動作をする機能を有し、ファクシミリ本体部とハンドスキャナ部とを接続するインターフェースを通じて、ハンドスキャナ部からのモーター制御コマンドをファクシミリ本体部に送出することによってファクシミリ本体部のモーターを制御し原稿の間欠送りを実現することを特徴とする。【選択図】　図１
2004104833.tif 000002
【特許請求の範囲】
【請求項１】
　原稿送り手段と当該原稿送り手段を制御する第一のＣＰＵとを含む本体部と、
　前記本体部と独立に動作し、光学素子からの読取データを蓄積するメモリと当該メモリを制御する第二のＣＰＵとを含む読取部とを有し、
　原稿を前記本体部の前記原稿送り手段で送りつつ前記読取部で読み取る際に、前記読取部の前記第二のＣＰＵが前記メモリの空き状況に応じて前記本体部へ制御コマンドを送信し、この制御コマンドに応じて前記本体部の前記第一のＣＰＵが前記原稿送り手段の動作を制御することを特徴とする画像読取装置。
【請求項２】
　前記本体部がファクシミリ本体部であることを特徴とする請求項１記載の画像読取装置。
【請求項３】
　前記読取部が前記本体部から取り外し可能であることを特徴とする請求項１記載の画像読取装置。
【請求項４】
　前記本体部がファクシミリ本体部であり、
　前記読取部がハンドスキャナであることを特徴とする請求項３記載の画像読取装置。
【請求項５】
　前記制御コマンドを前記読取部から前記本体部へ送信する第一のシリアルインターフェースを有することを特徴とする請求項３記載の画像読取装置。
【請求項６】
　前記読取部と前記本体部との間でデータ通信を行う第二のシリアルインターフェースを有することを特徴とする請求項５記載の画像読取装置。
【請求項７】
　前記制御コマンドとして、前記メモリが蓄積不可のときに前記原稿送り手段の動作を停止させるために送信されるウエイトコマンド、及び、前記メモリが蓄積可能のときに前記原稿送り手段を駆動させるために送信される駆動要求コマンドのうち少なくとも一つを含むことを特徴とする請求項１記載の画像読取装置。
【請求項８】
　第一のＣＰＵを含む本体部と、
　第二のＣＰＵを含み、前記本体部とは独立に動作するとともに、前記本体部から取り外し可能なハンドスキャナと、
　前記本体部と前記ハンドスキャナとを接続するインターフェースとを有し、
　前記インターフェースを介して前記ハンドスキャナの前記第二のＣＰＵから前記本体部の前記第一のＣＰＵへ制御コマンドが送信されることにより、前記本体部の制御が行われることを特徴とするファクシミリ装置。
【発明の詳細な説明】
【技術分野】
【０００１】
　本発明は、原稿の間欠送りを可能にする画像読取装置並びにこれを応用したファクシミリ装置に関する。
【背景技術】
【０００２】
　ファクシミリ装置の画像読取方式には、静止した原稿画面をラインスキャナ自身や原稿画面をラインスキャナに結像する光学系が移動して読み取るフラットベッド型のものと、自動原稿送り（ＡＤＦ：Ａｕｔｏｍａｔｉｃ  Ｄｅｓｃｒｉｐｔｉｏｎ  Ｆｅｅｄ）型のものと、ハンドスキャナと呼ばれるものとがあるが、最近の家庭用ファクシミリ装置では、製本された書籍や原稿の部分のみを読み取る場合には、ハンドスキャナを本体から取り外して手動で原稿上を走査し、ＡＤＦ読み取りの時には、ハンドスキャナをファクシミリ本体部にはめ込んで紙葉状の原稿を自動送りして読み取る兼用可能な方式が多く採られている。また、多くの場合ハンドスキャナ部は読取機能のみを有し、上記のＡＤＦ読み取り動作の場合には、本体のもつモータが原稿を一定速度で送り流し、ハンドスキャナ部がこれを読み取り、読み取った信号を本体のメモリに一方的に送出し蓄積する方式がとられている。このため、間欠的な読み取りを必要とする場合には、これが困難であった。また、ハンドスキャナ部が読取機能と蓄積機能を有するファクシミリ装置でも、上記のＡＤＦ読み取りを行う場合に、原稿の間欠送りができなかった。これは、ハンドスキャナ側のメモリ蓄積状況がファクシミリ本体部側から認識できず、ハンドスキャナの読取可／読取不可の状態を判断できないため、読取動作とモーター動作とを連携または同期させることができなかったからである。このため、より正確な記録画や送信画を得るためには人間の手によって原稿の読取速度を調整しなくてはならなかった。
【０００３】
【特許文献１】特開平０４−１１３７６８号公報（第２頁右下欄第１８行から第３頁右上欄第１０行まで、第１図）
【特許文献２】特開昭６２−２２５０６６号公報
【特許文献３】特開平０２−１６４１８１号公報（第９頁左下欄第７行から第１０頁左下欄第１０行まで）
【発明の開示】
【発明が解決しようとする課題】
【０００４】
　本発明は、上記の従来技術の持つ難点を解決するためになされたものである。本発明の目的は、ファクシミリ本体部とハンドスキャナが独立した動作をする機能を有するファクシミリ装置において、ＡＤＦ読取動作の際、ハンドスキャナ側からモーター制御コマンドをファクシミリ本体部に送出する機能を具備させることによって、ハンドスキャナ側からファクシミリ本体部のモーターを制御し、これによって原稿の間欠送りを可能にすることにある。
【課題を解決するための手段】
【０００５】
　本発明による画像読取装置は、原稿送り手段と当該原稿送り手段を制御する第一のＣＰＵとを含む本体部と、前記本体部と独立に動作し、光学素子からの読取データを蓄積するメモリと当該メモリを制御する第二のＣＰＵとを含む読取部とを有し、原稿を前記本体部の前記原稿送り手段で送りつつ前記読取部で読み取る際に、前記読取部の前記第二のＣＰＵが前記メモリの空き状況に応じて前記本体部へ制御コマンドを送信し、この制御コマンドに応じて前記本体部の前記第一のＣＰＵが前記原稿送り手段の動作を制御することを特徴とする。
【０００６】
　また、画像読取装置は、前記本体部がファクシミリ本体部であってもよい。
【０００７】
　また、画像読取装置は、前記読取部が前記本体部から取り外し可能であってもよい。
【０００８】
　また、画像読取装置は、前記本体部がファクシミリ本体部であり、前記読取部がハンドスキャナであってもよい。
【０００９】
　また、画像読取装置は、前記制御コマンドを前記読取部から前記本体部へ送信する第一のシリアルインターフェースを有する構成であってもよい。
【００１０】
　また、画像読取装置は、前記読取部と前記本体部との間でデータ通信を行う第二のシリアルインターフェースを有する構成であってもよい。
【００１１】
　また、画像読取装置は、前記制御コマンドとして、前記メモリが蓄積不可のときに前記原稿送り手段の動作を停止させるために送信されるウエイトコマンド、及び、前記メモリが蓄積可能のときに前記原稿送り手段を駆動させるために送信される駆動要求コマンドのうち少なくとも一つを含む構成であってもよい。
【００１２】
　また、本発明によるファクシミリ装置は、第一のＣＰＵを含む本体部と、第二のＣＰＵを含み、前記本体部とは独立に動作するとともに、前記本体部から取り外し可能なハンドスキャナと、前記本体部と前記ハンドスキャナとを接続するインターフェースとを有し、前記インターフェースを介して前記ハンドスキャナの前記第二のＣＰＵから前記本体部の前記第一のＣＰＵへ制御コマンドが送信されることにより、前記本体部の制御が行われることを特徴とする。
【発明の効果】
【００１３】
　本発明による画像読み取り装置及びファクシミリ装置の第一の効果は、読取能力及び蓄積能力を有するハンドスキャナと、モーター制御能力を有するファクシミリ本体部で構成されるファクシミリ装置において、本方式を用いることによりハンドスキャナからファクシミリ本体部のモーターを制御することが可能となる点である。ハンドスキャナが自らのメモリの空き状況から読取可／読取不可を判断して、モーターの動作／停止を制御することができ、この結果、原稿の間欠送りが実現されるため読取データの欠落を防ぐことができる。第二の効果は、読取画像にとって最適なタイミングでモーターを回すことが可能となる点である。
【発明を実施するための最良の形態】
【００１４】
　本発明の実施の形態について図面を参照して説明する。図１に示すとおり、本発明の一実施形態のファクシミリ装置は、ハンドスキャナ部１とファクシミリ本体部２を有する。ハンドスキャナ部１は画像をスキャニングするＣＣＤ３と読取画像を蓄積するメモリ５と、ハンドスキャナ全体を制御するハンドスキャナ側ＣＰＵ４を有する。ファクシミリ本体部２はファクシミリの動作を制御するファクシミリ側ＣＰＵ６と、モーター制御部７と記録部８と操作部９とから構成される。また、ハンドスキャナ部１とファクシミリ本体部２はコマンドの送受信を行うシリアルインターフェース部１０とデータ通信を行うシリアルインターフェース部１１で接続されている。
【００１５】
　次に図１の実施例の動作について図２を参照して説明する。ファクシミリ本体部２の操作部９からＡＤＦ読取の要求があると、ファクシミリ本体部２はシリアルインターフェース部１０を通じて、ＡＤＦ読取を行うことをハンドスキャナ部１に伝える(Ｓ１)。ファクシミリ本体部は、この後、モーター駆動要求コマンド待ち状態に遷移する(Ｓ２)。ハンドスキャナ部１はメモリ５の空き状況を確認し(Ｓ３)、蓄積不可であればウェイト、蓄積可能であればモーター駆動要求コマンドを送出する(Ｓ４)。Ｓ４過程後、ハンドスキャナ部１はＣＣＤ３で副走査方向に一定量の長さの原稿の読取を開始する(Ｓ５)。読取データはメモリ５に蓄積される(Ｓ６)。一方、モーター駆動要求コマンドを受けたファクシミリ本体部２はモーターを一定量駆動させるようモーター制御部７に通知する(Ｓ７)。Ｓ７過程後、ファクシミリ本体部１は、再び、Ｓ２過程からＳ８過程までの動作を原稿後端まで繰り返す。ハンドスキャナ部のメモリ５の蓄積データは、記録部８によって、シリアルインターフェース部１１を介して順次本体側に転送される。図３にこの間のタイミングをハンドスキャナ部からのモーター駆動要求コマンド発信（Ｓ４）、本体部でのモーター駆動要求コマンド待ち(Ｓ８)、およびモーターの駆動動作（Ｓ７）とハンドスキャナ部での読み取り動作（Ｓ５）のタイミングチャートに示す。読取画像にとって最適なタイミングでモーターを回すことが可能となる。本方式を用いることによって、ハンドスキャナからファクシミリ本体部のモーターを制御することが可能となり、ハンドスキャナが自らのメモリの空き状況から読取可／読取不可を判断して、モーターの動作／停止を制御することができる。この結果、原稿の間欠送りが実現される。
【００１６】
　なお、本発明は、ハンドスキャナを有するファクシミリ装置の場合について、その実施の形態を述べたが、ハンドスキャナを有しない読み取り手段を本体に一体に配設したファクシミリ装置においても、読取機能と蓄積機能を有するシステムＡとモーター制御機能を有するシステムＢとで構成され、それぞれが独立して動作するようなシステムのファクシミリ装置においても当てはまる。
【００１７】
　また、ファクシミリ装置のような通信端末装置のみならず、コンピュータの周辺機器の一つである画像読取装置においても有効である。
【図面の簡単な説明】
【００１８】
【図１】本発明の一実施形態であるファクシミリ装置のブロック図を示す。
【図２】本発明の一実施形態であるファクシミリ装置の動作を示すフローチャートである。
【図３】本発明の一実施形態であるファクシミリ装置の動作を示すタイムチャートである。
【符号の説明】
【００１９】
１    ハンドスキャナ部
２    ファクシミリ本体部
３    ＣＣＤ
４    ハンドスキャナ側ＣＰＵ
５    メモリ
６    ファクシミリ側ＣＰＵ
７    モーター制御部
８    記録部
９    操作部
１０    コマンドの送受信を行うシリアルインターフェース部
１１    データ通信を行うシリアルインターフェース部
【図１】
2004104833.tif 000003
【図２】
2004104833.tif 000004
【図３】
2004104833.tif 000005